(57)【要約】【課題】孔版印刷装置において、休止明けに、複数の孔版原紙を順次使用して印刷を行う場合においても、安定した印刷濃度の孔版印刷を行う。【解決手段】休止時間計測手段６６が、印刷が終了してから再び開始されるまでの休止時間を計測し、休止時間が所定の閾値以上である場合に、第１の基準値設定手段７３が、再び印刷が開始されてからの、現在までに印刷ドラムから剥取された孔版原紙の累積版数および現在の孔版原紙による印刷が開始されるまでに印刷された印刷用紙の累積枚数に基づいて基準値を設定し、印刷枚数計測手段７１が現在の孔版原紙を使用して印刷された印刷用紙の枚数を計測し、印刷圧力制御手段６７が、印刷枚数計測手段７１により計測された印刷用紙の枚数が基準値よりも小さい場合は、印刷圧力が通常の印刷圧力よりも小さく又は大きくなるように制御し、基準値よりも大きい場合は、印刷圧力が通常の印刷圧力となるように制御する。【選択図】図２
2012121206.tif 000002
【特許請求の範囲】
【請求項１】
製版された孔版原紙が巻着される印刷ドラムと、該印刷ドラムの外周面に巻着された前記孔版原紙に印刷用紙を所定の印刷圧力で圧接させる圧接手段とを備え、前記印刷ドラム内にインクを供給し、前記圧接手段により前記印刷ドラムに巻着された前記孔版原紙に前記印刷用紙を圧接させて前記インクによる印刷を行う孔版印刷装置における、前記印刷圧力を制御する印圧制御方法であって、
前記印刷が終了してから再び前記印刷が開始されるまでの休止時間を計測し、
前記計測された休止時間が所定の閾値以上である場合に印圧制御モードを設定し、
前記印圧制御モードにおいて、前記再び印刷が開始されてからの、現在までに前記印刷ドラムから剥取された孔版原紙の累積版数および現在の孔版原紙による印刷が開始されるまでに印刷された印刷用紙の累積枚数に基づいて基準値を設定し、前記現在の孔版原紙を使用して印刷された印刷用紙の枚数を計測し、該計測された印刷用紙の枚数が前記設定された基準値よりも小さい場合は、前記印刷圧力が通常の印刷圧力よりも小さく又は大きくなるように前記圧接手段を制御し、前記計測された印刷用紙の枚数が前記設定された基準値よりも大きい場合は、前記印刷圧力が前記通常の印刷圧力となるように前記圧接手段を制御することを特徴とする印圧制御方法。
【請求項２】
前記基準値の設定が、前記孔版原紙の累積版数が大きくなるほど前記基準値が小さくなるように設定するとともに、前記印刷用紙の累積枚数が大きくなるほど前記基準値が小さくなるように設定するものであることを特徴とする請求項１記載の印圧制御方法。
【請求項３】
前記孔版原紙の累積版数に基づいて第２の基準値を設定し、
前記再び印刷が開始されてから現在までに印刷された印刷用紙の総累積枚数を計測し、
該計測された印刷用紙の総累積枚数が前記設定された第２の基準値よりも大きくなった場合、前記印圧制御モードを解除することを特徴とする請求項１または２記載の印圧制御方法。
【請求項４】
前記第２の基準値の設定が、前記孔版原紙の累積版数が大きくなるほど前記第２の基準値が小さくなるように設定するものであることを特徴とする請求項１から３のいずれか１項記載の印圧制御方法。
【請求項５】
前記インクが揮発によって粘度が低下するものであり、
前記圧接手段の制御が、前記計測された印刷用紙の枚数が前記設定された基準値よりも小さい場合に、前記印刷圧力が前記通常の印刷圧力よりも小さくなるように前記圧接手段を制御するものであることを特徴とする請求項１から４のいずれか1項記載の印圧制御方法。
【請求項６】
前記インクが揮発によって粘度が上昇するものであり、
前記圧接手段の制御が、前記計測された印刷用紙の枚数が前記設定された基準値よりも小さい場合に、前記印刷圧力が前記通常の印刷圧力よりも大きくなるように前記圧接手段を制御するものであることを特徴とする請求項１から４のいずれか1項記載の印圧制御方法。
【請求項７】
製版された孔版原紙が巻着される印刷ドラムと、該印刷ドラムの外周面に巻着された前記孔版原紙に印刷用紙を所定の印刷圧力で圧接させる圧接手段とを備え、前記印刷ドラム内にインクを供給し、前記圧接手段により前記印刷ドラムに巻着された前記孔版原紙に前記印刷用紙を圧接させて前記インクによる印刷を行う孔版印刷装置において、
前記印刷が終了してから再び前記印刷が開始されるまでの休止時間を計測する休止時間計測手段と、
前記計測された休止時間が所定の閾値以上である場合に印圧制御モードを設定するモード設定手段と、
前記印圧制御モードにおいて、前記再び印刷が開始されてからの、現在までに前記印刷ドラムから剥取された孔版原紙の累積版数および現在の孔版原紙による印刷が開始されるまでに印刷された印刷用紙の累積枚数に基づいて基準値を設定する基準値設定手段と、
前記印圧制御モードにおいて、前記現在の孔版原紙を使用して印刷された印刷用紙の枚数を計測する印刷枚数計測手段と、
前記印圧制御モードにおいて、前記印刷枚数計測手段により計測された印刷用紙の枚数が前記設定された基準値よりも小さい場合は、前記印刷圧力が通常の印刷圧力よりも小さく又は大きくなるように前記圧接手段を制御し、前記計測された印刷用紙の枚数が前記設定された基準値よりも大きい場合は、前記印刷圧力が前記通常の印刷圧力となるように前記圧接手段を制御する印刷圧力制御手段とを備えたことを特徴とする孔版印刷装置。
【請求項８】
前記基準値設定手段が、前記孔版原紙の累積版数が大きくなるほど前記基準値が小さくなるように設定するとともに、前記印刷用紙の累積枚数が大きくなるほど前記基準値が小さくなるように設定するものであることを特徴とする請求項７記載の孔版印刷装置。
【請求項９】
前記孔版原紙の累積版数に基づいて第２の基準値を設定する第２の基準値設定手段と、
前記再び印刷が開始されてから現在までに印刷された印刷用紙の総累積枚数を計測する総累積枚数計測手段と、
前記計測された印刷用紙の総累積枚数が前記設定された第２の基準値よりも大きくなった場合、前記印圧制御モードを解除するモード解除手段とを備えたことを特徴とする請求項７または８記載の孔版印刷装置。
【請求項１０】
前記第２の基準値設定手段が、前記孔版原紙の累積版数が大きくなるほど前記第２の基準値が小さくなるように設定するものであることを特徴とする請求項７から９のいずれか１項記載の孔版印刷装置。
【請求項１１】
前記インクが揮発によって粘度が低下するものであり、
前記印刷圧力制御手段が、前記計測された印刷用紙の枚数が前記設定された基準値よりも小さい場合に、前記印刷圧力が前記通常の印刷圧力よりも小さくなるように前記圧接手段を制御するものであることを特徴とする請求項７から１０のいずれか1項記載の孔版印刷装置。
【請求項１２】
前記インクが揮発によって粘度が上昇するものであり、
前記印刷圧力制御手段が、前記計測された印刷用紙の枚数が前記設定された基準値よりも小さい場合に、前記印刷圧力が前記通常の印刷圧力よりも大きくなるように前記圧接手段を制御するものであることを特徴とする請求項７から１０のいずれか1項記載の孔版印刷装置。
【発明の詳細な説明】
【技術分野】
【０００１】
本発明は、揮発によって粘度が変化するインクを使用して孔版印刷を行う孔版印刷装置及びその印圧制御方法に関するものである。
【背景技術】
【０００２】
従来より、スキャナなどにより原稿を読み取った画像データに基づいてサーマルヘッドなどを駆動し、孔版原紙を溶融穿孔することにより製版処理を施して版を作成し、この作成された版を印刷ドラムに巻着して印刷ドラムの内側よりインクを供給し、ローラなどによりインクを印刷用紙に転移することにより印刷を行う孔版印刷装置が種々提案されている。
【０００３】
上記のような孔版印刷装置においては、印刷が停止されてから再び印刷が開始されるまでの休止時間が長くなると、印刷ドラム内に放置されたインク中の水分が蒸発してインクの粘度が低下あるいは上昇し、印刷ドラム内から孔版原紙を透過して印刷用紙に転移されるインク量が変化して安定した濃度の孔版印刷を行うことができなくなるという問題がある。
【０００４】
たとえば、インクが水分の蒸発によって粘度が上昇するものである場合は、印刷ドラム内のインクが印刷用紙に転移しにくい状態になって、印刷濃度が通常より薄くなったり、印刷濃度にむらができたりする。一方、インクが水分の蒸発によって粘度が低下するものである場合は、印刷用紙にインクが必要以上に供給され、印刷濃度が通常より高くなったり、裏写りや画像滲みが発生したりする。
【０００５】
そこで、特許文献１においては、過去に印刷動作を行ったときから再び印刷動作を開始するまでの休止時間を計測し、この計測された休止時間の長さとインクの種類とに応じて上記ローラの印刷ドラムに対する印刷圧力を一時的に制御するとともに、その印刷圧力による印刷枚数も休止時間の長さとインクの種類とに応じて設定することにより印刷用紙に転移されるインク量を一定量に維持し、安定した濃度の孔版印刷を行う方法が提案されている。
【先行技術文献】
【特許文献】
【０００６】
【特許文献１】特開２００４−２４３５６７号公報
【発明の概要】
【発明が解決しようとする課題】
【０００７】
しかしながら、上記孔版印刷装置において、休止明けに、たとえば複数の孔版原紙を順次使用して印刷を行う場合には、孔版原紙を取り替える際に一部のインクが剥取された孔版原紙に引っ付いて除去されることによって、印刷ドラム内における変質したインクの量が変化するとともに、孔版原紙毎の穿孔範囲の相違によって印刷ドラム上のインクが主に消費される部分も異なってくるため、上記のように印刷圧力を制御すべき印刷枚数を休止時間の長さとインクの種類のみに応じて一律に設定したのでは、安定した印刷濃度の孔版印刷を行うことができない。
【０００８】
本発明は、上記事情を鑑み、孔版印刷装置において、休止明けに、複数の孔版原紙を順次使用して印刷を行う場合においても、安定した印刷濃度の孔版印刷を行うことができる孔版印刷装置及びその印圧制御方法を提供することを目的とするものである。
【課題を解決するための手段】
【０００９】
本発明の印圧制御方法は、製版された孔版原紙が巻着される印刷ドラムと、印刷ドラムの外周面に巻着された孔版原紙に印刷用紙を所定の印刷圧力で圧接させる圧接手段とを備え、印刷ドラム内にインクを供給し、圧接手段により印刷ドラムに巻着された孔版原紙に印刷用紙を圧接させてインクによる印刷を行う孔版印刷装置における、印刷圧力を制御する印圧制御方法であって、印刷が終了してから再び印刷が開始されるまでの休止時間を計測し、計測された休止時間が所定の閾値以上である場合に印圧制御モードを設定し、印圧制御モードにおいて、再び印刷が開始されてからの、現在までに印刷ドラムから剥取された孔版原紙の累積版数および現在の孔版原紙による印刷が開始されるまでに印刷された印刷用紙の累積枚数に基づいて基準値を設定し、現在の孔版原紙を使用して印刷された印刷用紙の枚数を計測し、該計測された印刷用紙の枚数が設定された基準値よりも小さい場合は、印刷圧力が通常の印刷圧力よりも小さく又は大きくなるように圧接手段を制御し、計測された印刷用紙の枚数が設定された基準値よりも大きい場合は、印刷圧力が通常の印刷圧力となるように圧接手段を制御することを特徴とする。
【００１０】
ここで、通常の印刷圧力とは、所定の閾値以上の休止時間を空けることなく連続して印刷を行う場合に、所望の印刷濃度が得られる印刷条件として定められた印刷圧力を意味する。
【００１１】
また、現在の孔版原紙とは、印刷ドラムに現に巻着されている孔版原紙を意味する。
【００１２】
また、前記印刷が終了してから再び前記印刷が開始されるまでの休止時間とは、インクが実質的に消費されなくなってから、再びインクが消費されるまでの時間を意味し、たとえば印刷のための印刷ドラムの回転が停止してから次の印刷のために印刷ドラムが回転し始めるまでの時間、あるいは、それと一義的に対応関係にある時間等を意味する。
【００１３】
また、基準値としては、現在の孔版原紙によってその設定された基準値の枚数の印刷を行うことで、印刷ドラム内の、少なくともその孔版原紙の穿孔された位置に対応する部分における変質した古いインクが新しいインクに入れ替わり、その孔版原紙によって印刷を行う限り、それ以降の印刷では通常の印刷圧力で印刷を行っても所望の印刷濃度が得られるであろう値を設定するとよい。
【００１４】
また、基準値の設定は、孔版原紙の累積版数が大きくなるほど基準値が小さくなるように設定するとともに、印刷用紙の累積枚数が大きくなるほど基準値が小さくなるように設定するものであってもよい。
【００１５】
なお、上記基準値の設定は、少なくとも印刷に使用する孔版原紙が変わる毎に行えば足りる。
【００１６】
また、上記印圧制御方法において、孔版原紙の累積版数に基づいて第２の基準値を設定し、再び印刷が開始されてから現在までに印刷された印刷用紙の総累積枚数を計測し、該計測された印刷用紙の総累積枚数が第２の基準値よりも大きくなった場合、印圧制御モードを解除するようにしてもよい。
【００１７】
ここで、第２の基準値としては、その設定された第２の基準値の枚数の印刷を行うことで、印刷ドラム内の変質した古いインクが完全に新しいインクに入れ替わるであろう値を設定するとよい。
【００１８】
また、第２の基準値の設定は、孔版原紙の累積版数が大きくなるほど第２の基準値が小さくなるように設定するものであってもよい。
【００１９】
なお、印圧制御モードを解除してから再び印圧制御モードが設定されるまでは、特に別の事情がない限り、通常の印刷圧力で印刷を行えばよい。
【００２０】
また、インクが揮発によって粘度低下するものであり、圧接手段の制御が、計測された印刷用紙の枚数が設定された基準値よりも小さい場合に、印刷圧力が通常の印刷圧力よりも小さくなるように圧接手段を制御するものであってもよい。
【００２１】
また、インクが揮発によって粘度上昇するものであり、圧接手段の制御が、計測された印刷用紙の枚数が設定された基準値よりも小さい場合に、印刷圧力が通常の印刷圧力よりも大きくなるように圧接手段を制御するものであってもよい。
【００２２】
ここで、インクが揮発するとは、インク中の水分や溶剤等の揮発成分が揮発することを意味する。
【００２３】
また、揮発によって最初は粘度が下がっていって、さらに揮発が続くと下がったところから粘度が上昇するインクは、その上昇に転じるのが相当長い時間の経過後であって、低下していく時間範囲以外での使用が一般的な使用状態ではほとんどない場合には、揮発によって粘度が低下するインクとして扱う。
【００２４】
本発明の孔版印刷装置は、製版された孔版原紙が巻着される印刷ドラムと、印刷ドラムの外周面に巻着された孔版原紙に印刷用紙を所定の印刷圧力で圧接させる圧接手段とを備え、印刷ドラム内にインクを供給し、圧接手段により印刷ドラムに巻着された孔版原紙に印刷用紙を圧接させてインクによる印刷を行う孔版印刷装置において、印刷が終了してから再び印刷が開始されるまでの休止時間を計測する休止時間計測手段と、計測された休止時間が所定の閾値以上である場合に印圧制御モードを設定するモード設定手段と、印圧制御モードにおいて、再び印刷が開始されてからの、現在までに印刷ドラムから剥取された孔版原紙の累積版数および現在の孔版原紙による印刷が開始されるまでに印刷された印刷用紙の累積枚数に基づいて基準値を設定する基準値設定手段と、印圧制御モードにおいて、現在の孔版原紙を使用して印刷された印刷用紙の枚数を計測する印刷枚数計測手段と、印圧制御モードにおいて、印刷枚数計測手段により計測された印刷用紙の枚数が設定された基準値よりも小さい場合は、印刷圧力が通常の印刷圧力よりも小さく又は大きくなるように圧接手段を制御し、計測された印刷用紙の枚数が設定された基準値よりも大きい場合は、印刷圧力が通常の印刷圧力となるように圧接手段を制御する印刷圧力制御手段とを備えたことを特徴とするものである。
【００２５】
上記孔版印刷装置において、基準値設定手段は、孔版原紙の累積版数が大きくなるほど基準値が小さくなるように設定するとともに、印刷用紙の累積枚数が大きくなるほど基準値が小さくなるように設定するものであってもよい。
【００２６】
上記孔版印刷装置は、孔版原紙の累積版数に基づいて第２の基準値を設定する第２の基準値設定手段と、再び印刷が開始されてから現在までに印刷された印刷用紙の総累積枚数を計測する総枚数計測手段と、計測された印刷用紙の総累積枚数が設定された第２の基準値よりも大きくなった場合、印圧制御モードを解除するモード解除手段とを備えたものであってもよい。
【００２７】
上記孔版印刷装置において、第２の基準値設定手段は、孔版原紙の累積版数が大きくなるほど第２の基準値が小さくなるように設定するものであってもよい。
【００２８】
また、インクが揮発によって粘度低下するものであり、印刷圧力制御手段が、計測された印刷用紙の枚数が設定された基準値よりも小さい場合に、印刷圧力が通常の印刷圧力よりも小さくなるように圧接手段を制御するものであってもよい。
【００２９】
また、インクが揮発によって粘度上昇するものであり、印刷圧力制御手段が、計測された印刷用紙の枚数が設定された基準値よりも小さい場合に、印刷圧力が通常の印刷圧力よりも大きくなるように圧接手段を制御するものであってもよい。
【発明の効果】
【００３０】
本発明の孔版印刷装置及びその印圧制御方法によれば、孔版印刷装置において、印刷が終了してから再び印刷が開始されるまでの休止時間を計測し、計測された休止時間が所定の閾値以上である場合に印圧制御モードを設定し、印圧制御モードにおいて、再び印刷が開始されてからの、現在までに印刷ドラムから剥取された孔版原紙の累積版数および現在の孔版原紙による印刷が開始されるまでに印刷された印刷用紙の累積枚数に基づいて基準値を設定し、現在の孔版原紙を使用して印刷された印刷用紙の枚数を計測し、該計測された印刷用紙の枚数が設定された基準値よりも小さい場合は、印刷圧力が通常の印刷圧力よりも小さく又は大きくなるように圧接手段を制御し、計測された印刷用紙の枚数が設定された基準値よりも大きい場合は、印刷圧力が通常の印刷圧力となるように圧接手段を制御するようにしたので、各孔版原紙による印刷において印刷圧力を小さく又は大きく制御すべき印刷枚数を、孔版原紙の取り替えによるインクの消費状態の変化を考慮して設定でき、休止明けに、複数の孔版原紙を順次使用して印刷を行う場合においても、安定した印刷濃度の孔版印刷を行うことができる。
【図面の簡単な説明】
【００３１】
【図１】本発明の孔版印刷装置の概略構成図
【図２】図１に示す孔版印刷装置の一部のブロック図
【図３】図１に示す孔版印刷装置のプレスローラの駆動装置の概略構成図
【図４】印圧制御モードの解除の判断に用いられるルックアップテーブル
【図５】印圧制御モードにおける印刷圧力の制御に用いられるルックアップテーブル
【発明を実施するための形態】
【００３２】
以下、図面を参照して、本発明の孔版印刷装置及びその印圧制御方法の実施形態について説明する。図１は、孔版印刷装置１の概略構成図である。孔版印刷装置１は、図１に示すように、原稿の画像を読み取る読取部１０、読取部１０で読み取られた画像情報に基づいて孔版原紙Ｍに製版処理を施す製版部２０、製版部２０において製版された孔版原紙Ｍを用いて印刷用紙に印刷を施す印刷部３０、印刷部３０に印刷用紙を給紙する給紙部４０、印刷済みの印刷用紙を排出する排紙部５０、および使用済みの孔版原紙Ｍを廃棄する排版部６０を備えている。
【００３３】
読取部１０は、イメージスキャナであり、副走査方向に搬送される原稿の画像の読み取りを行うラインイメージセンサ１２と原稿送りローラ１４とを有している。
【００３４】
製版部２０は、原紙ロール部２１と、複数個の発熱体が一列配列されてなるサーマルヘッドを有する製版ユニット２２と、原紙送りローラ２３、２４と、原紙案内ローラ２５，２６，２７と、原紙カッタ２８とを有している。この製版部２０では、原紙ロール２１から予め設定された１枚の製版分の長さの孔版原紙Ｍが繰り出され、製版ユニット２２の複数個の発熱体が各々個別に選択的に発熱することにより孔版原紙Ｍが感熱穿孔製版される。その製版済孔版原紙Ｍは、原紙カッタ２８により切断されて印刷ドラム３１に巻着される。
【００３５】
印刷部３０は、多孔金属板、メッシュ構造体などのインク通過性の円筒状の印刷ドラム３１、印刷ドラム３１の内部に配置されたスキージローラ３２とドクターローラ３３とインク供給ポンプ３５（図２参照）とを有するインク供給装置３４、およびプレスローラー３６を有している。ドラムの外周には製版済孔版原紙Ｍが巻き付けられて装着されるようになっている。
【００３６】
印刷部３０において使用されるインクが収容されたインク容器２は、図２に示すように、その先端部にインクが吐出される開口部３が設けられており、この開口部３が印刷ドラム２０内に設置されたインク供給ポンプ３５に接続される。また、インク容器２には、その先端部にインク容器２内に収容されたインクの揮発性および粘度を示す情報を記憶する記憶手段４が設けられている。この記憶手段４は電源を供給しなくても一定期間データを記憶できる不揮発性メモリー（ＥＥＰＲＯＭなど）を構成するメモリーＩＣ８１を備え、このメモリーＩＣ８１が取り付けられた基板８２の先端に接点８３が設けられている。
【００３７】
また、図２に示すように、本孔版印刷装置１のインク供給ポンプ３５の近傍には、インク容器２の記憶手段４の接点８３と電気的に接続するコネクタ５が設置されている。そして、記憶手段４に記憶されたインクの揮発性および粘度を示す情報が後述するインク種類取得手段により読み出されるようコネクタ５とインク種類取得手段とが接続されている。
【００３８】
本孔版印刷装置１においては、インク供給装置３４により印刷ドラム３１の内側に所定の色の印刷インクが供給され、印刷ドラム３１が図示省略した回転駆動手段により自身の中心軸線の周りに図にて反時計廻り方向へ回転駆動され、印刷ドラム３１の回転に同期して所定のタイミングにて印刷用紙Ｐがタイミングローラ４３により図にて左方より右方へ移動する状態にて印刷ドラム３１とプレスローラー３６との間に供給され、印刷用紙Ｐがプレスローラー３６より印刷ドラム３１の外周面の巻き付け装着されている製版済孔版原紙Ｍに対し圧接されることによリ、印刷用紙Ｐに対して所定の色の印刷インクによる孔版印刷が行われる。
【００３９】
図３はプレスローラー３６の駆動装置を示している。プレスローラー３６は、印刷ドラム３１の軸線方向に延在してなり、ブラケット１００により自身の中心軸線の周りに回転可能に支持され、ブラケット１００は固定側部材である図示されていないフレームより回転可能に支持されたプレス軸１０１に固定装着されている。これによりプレスローラー３６は、プレス軸１０１を中心にして略上下方向に揺動変位可能とされ、印刷ドラム３１の外周面より引き離された退避位置と印刷ドラム３１の外周面に対して押し付けられるプレス作用位置との間に移動可能になっている。
【００４０】
プレス軸１０１にはプレス駆動レバー１０２が固定装着されており、またプレス軸１０１はプレス駆動板１０３を回転可能に支持している。プレス駆動板１０３には枢軸１０４によりフック部材１０５が回動可能に取り付けられており、フック部材１０５は、プレス駆動板１０３に搭載されたソレノイド１０６により回動駆動されてプレス駆動レバー１０２と選択的に係合し、プレス駆動レバー１０２とプレス駆動板１０３とを相互に駆動連結する。プレス駆動板１０３の端部には枢軸１０７により第一リンク部材１０８の一端が枢動連結されている。第一リンク部材１０８には長孔１０９が二カ所に各々同方向に延在して形成され、この各長孔１０９には第二リンク部材１１０のピン１１１が係合している。これにより第一リンク部材１０８と第二リンク部材１１０とは長孔１０９の範囲内にて相互にリンク長さ方向、即ち図３にて略上下方向に変位可能に連結されている。
【００４１】
第一リンク部材１０８の下端部には折曲フランジ片部１１２が設けられており、折曲フランジ片部１１２にはアジャストスクリュ１１３が第一リンク部材１０８の往復運動方向に移動可能に貫通している。アジャストスクリュ１１３にはこの折曲フランジ片部１１２より下方の位置にカラー１１４を介して外歯１１５を有しスラスト受けを行う平歯車状のナット部材１１６が螺合しており、このアジヤストスクリュ１１３の上端部には引張コイルばね１１７の一端が係止されている。なお、アジャストスクリュ１１３は、これに引張コイルばね１１７の一端が係止されることより回り止めされ、ナット部材１１６の回転により第一リンク部材１０８に対して軸線方向に移動する。引張コイルばね１１７は、他端にてピン１１１に係止され、第一リンク部材１０８を第ニリンク部材１１０に対して上方、換言すればプレス駆動板１０３をプレス軸１０１の周りに図３にて反時計廻り方向、さらに換言すればプレスローラー３６を印刷ドラム３１の外周面に対して押し付ける方向へ付勢している。
【００４２】
第二リンク部材１１０は上端部にて枢軸１１８によりカムレバー１１９の先端部と枢動連結されている。カムレバー１１９は、支持軸１２０により図示省略のフレームより回動可能に支持され、先端部に枢軸１１８によりカムフォロアローラ１２１を回転可能に支持している。カムフォロアローラ１２１は主軸１２２に取り付けられたプレスカム１２３と係合している。プレスカム１２３は、印刷ドラム３１の回転に同期して回転し、印刷ドラム３１の外周部に設けられている図示されていない孔版原紙クランプ部がプレスローラー３６と対応する回転位置に位置する時に、プレスローラー３６と孔版原紙クランプ部と干渉をさけるために、プレスローラー３６を前記退避位置に位置させるカムプロフィールを有している。
【００４３】
折曲フランジ片部１１２には印刷圧力調整用電動機１２４が取り付けられており、印刷圧力調整用電動機１２４の出力軸１２５には駆動菌車１２６が固定装着されている。駆動歯車１２６は、ナット部材１１６の外歯１１５と噛合し、印刷圧力調整用電動機１２４の出力軸回転をナット部材１１６へ伝達する。このプレスローラ駆動装置においては、印刷ドラム３１の回転によりプレスカム１２３が図３にて時計廻り方向へ回転し、この回転により第二リンク部材１１０が略上下方向に往復動し、この往復動が引張コイルばね１１７を介して第一リンク部材１０８に伝達される。第一リンク部材１０８の往復動によりプレス駆動板１０３がプレス軸１０１を中心として往復回動し、この時にソレノイド１０６によりフック部材１０５が係合位置に移動されてプレス駆動レバー１０２と係合していることにより、プレス駆動板１０３の往復回動がプレス軸１０１に伝達され、このプレス軸１０１の往復回動によりプレスローラー３６がプレス軸１０１を中心として略上下方向に揺動変位し、プレスローラー３６は印刷ドラム３１の外周面より引き離された退避位置と印刷ドラム３１の外周面に対して押し付けられるプレス作用位置との間に移動する。
【００４４】
この際、プレスローラー３６のプレス作用位置への移動は、第ニリンク部材１１０が引き上げられてこの動きが引張コイルばね１１７に引張力を与えつつ第一リンク部材１０８に伝達され、プレス駆動板１０３がプレス軸１０１を中心として図３にて反時計廻り方向へ回動することにより行われ、プレスローラー３６が印刷用紙Ｐを挟んで印刷ドラム３１の外周面に対して押し付けられてプレス駆動板１０３のプレス軸１０１を中心とした図３にて反時計廻り方向の回動が制限され、この状態よりもなおも第二リンク部材１１０が引き上げられることにより、第二リンク部材１１０が第一リンク部材１０８に対して変位し、引張コイルばね１１７が伸張するようになる。この結果、引張コイルばね１１７の伸張によるばね力によりプレスローラー３６が印刷用紙Ｐを挟んで版胴３７の外周面に対して押し付けられ、印刷圧力はこのばね力により決まるようになる。
【００４５】
印刷圧力の調節に際しては、印刷圧力調整用電動機１２４を駆動して駆動歯車１２６を回転させる。駆動歯車１２６の回転はナット部材１１６に伝達され、ナット部材１１６の回転によりアジャストスクリュ１１３が第一リンク部材１０８に対して軸線方向へ移動し、アジヤストスクリュ１１３の第一リンク部材１０８に対する軸線方向位置が変化する。これにより引張コイルばね１１７とアジヤストスクリュ１１３との係止部が第一リンク部材１０８に対して軸線方向に変位し、この変位により引張コイルばね１１７の取付長さが変化し、これの取付荷重が変化する。この引張コイルばね１１７の取付荷重の変化により、上述の如き作用下にてプレスローラー３６を印刷ドラム３１の外周面に対して押し付ける圧力、即ち印刷圧力が変化する。
【００４６】
給紙部４０は、印刷用紙Ｐが載置される給紙台４１と、給紙台４１より印刷用紙Ｐを一枚ずつ取り出すピックアップローラ４２と、印刷用紙Ｐを印刷ドラム３１とプレスローラー３６との間に送り出すタイミングローラ４３とを有している。
【００４７】
排紙部５０は、印刷用紙Ｐを印刷ドラム３１より剥ぎ取る剥取爪５１と、排紙送りベルト部５２と、印刷済みの印刷用紙Ｐが積載される排紙台５３とを有している。
【００４８】
排版部６０は、印刷部３０の一方の側に設けられ、印刷ドラム３１から引き剥がされた使用済みの孔版原紙Ｍが送り込まれる排版ボックス６１と、印刷ドラム３１から使用済み孔版原紙Ｍを引き剥がして排版ボックス６１内へ送り込む排版ローラ６２とを有している。
【００４９】
また、孔版印刷装置１は、図２に示すように、インク容器２に設けられた記憶手段４からインクの揮発性および粘度を示す情報を取得するインク種類取得手段６５、印刷が終了してから再び印刷が開始されるまでの休止時間を計測する休止時間計測手段６６、印刷圧力調整用電動機１２４の動作を制御することによりプレスローラ３６の印刷ドラム３１に対する印刷圧力を制御する印刷圧力制御手段６７、および印刷圧力制御手段６７における印刷圧力の制御モードを設定するモード設定手段６８を備えている。
【００５０】
本実施形態では、印刷圧力制御手段６７による印刷圧力の制御モードとして、通常印圧モードと印圧制御モードの２種類の制御モードを有している。ここで、通常印圧モードは、所定の閾値以上の休止時間を空けることなく連続して印刷を行う場合に、所望の印刷濃度が得られる印刷条件として定められた印刷圧力（以下、通常の印刷圧力という）で印刷を行うモードである。印圧制御モードは、孔版原紙の版数や印刷枚数に応じて通常の印刷圧力と通常の印刷圧力よりも小さい（又は大きい）所定の印刷圧力とを適宜切り替えながら印刷を行うモードである。印刷圧力の制御に関する詳細は後述する。
【００５１】
また、孔版印刷装置１は、印圧制御モードにおいて、印刷が開始されてから現在までに前記印刷ドラムから剥取された孔版原紙の累積版数Ｘを計測する累積版数計測手段６９と、印刷が開始されてから現在の孔版原紙による印刷が開始されるまでに印刷された印刷用紙の累積枚数Ｎを計測する累積枚数計測手段７０と、現在の孔版原紙を使用して印刷された印刷用紙の枚数を計測する印刷枚数計測手段７１と、印刷が開始されてから現在までに印刷された印刷用紙の総累積枚数を計測する総累積枚数計測手段７２とを備えている。
【００５２】
累積版数計測手段６９および累積枚数計測手段７０は、少なくとも孔版原紙が取り替えられる度にそれぞれの計測を行い、その計測の結果を更新する。累積版数計測手段６９および累積枚数計測手段７０のいずれか一方または両方は、孔版原紙が取り替えられる度に限らず、１枚印刷が行われる度にその計測を行い、その計測の結果を更新するものであってもよい。印刷枚数計測手段７１および総累積枚数計測手段７２は、１枚印刷が行われる度にそれぞれの計測を行い、その計測の結果を更新する。
【００５３】
また、本孔版印刷装置１は、累積版数計測手段により計測された孔版原紙の累積版数および累積枚数計測手段により計測された印刷用紙の累積枚数に基づいて第１の基準値を設定する第１の基準値設定手段７３と、累積版数計測手段により計測された孔版原紙の累積版数に基づいて第２の基準値を設定する第２の基準値設定手段７４を備えている。第１の基準値設定手段７３および第２の基準値設定手段７４は、少なくとも孔版原紙が取り替えられる度にそれぞれの計測を行い、その計測の結果を更新する。
【００５４】
第１の基準値設定手段７３は、累積版数計測手段６９により計測された孔版原紙の累積版数Ｘと累積枚数計測手段７０により計測された印刷用紙の累積枚数Ｎとを取得し、図５に示すようなルックアップテーブルを用いて第１の基準値を求めて設定し、その第１の基準値を印刷圧力制御手段６７に出力する。
【００５５】
図５に示すルックアップテーブルは、孔版原紙の累積版数Ｘと印刷用紙の累積枚数Ｎとから第１の基準値を求めることができるものである。このルックアップテーブルでは、第１の基準値として、現在の孔版原紙によってその設定された基準値の枚数の印刷を行うことで、印刷ドラム内の、少なくともその孔版原紙の穿孔された位置に対応する部分における変質した古いインクが新しいインクに入れ替わり、その孔版原紙によって印刷を行う限り、それ以降の印刷では通常の印刷圧力で印刷を行っても所望の印刷濃度が得られるであろう値を設定している。
【００５６】
このルックアップテーブルでは、孔版原紙を取り替える際に一部のインクが剥取される孔版原紙に引っ付いて除去されることによって、印刷ドラム内の変質した古いインクが減少することを考慮して、孔版原紙の累積版数Ｘが大きくなるほど第１の基準値が小さくなるように設定している。過去になされ印刷によって変質したインクが減少することも考慮して、印刷用紙の累積枚数Ｎが大きくなるほど第１の基準値が小さくなるように設定している。
【００５７】
第２の基準値設定手段７４は、累積版数計測手段６９により計測された孔版原紙の累積版数Ｘを取得し、図４に示すようなルックアップテーブルを用いて第２の基準値を求めて設定し、その第２の基準値をモード設定手段６８に出力する。
【００５８】
図４に示すルックアップテーブルは、孔版原紙の累積版数Ｘから第２の基準値を求めることができるものである。このルックアップテーブルでは、第２の基準値として、その設定された第２の基準値の枚数の印刷を行うことで、現在の孔版原紙の穿孔された位置に対応する部分における変質した古いインクだけでなく、印刷ドラム内の変質した古いインクが完全に新しいインクに入れ替わるであろう値を設定している。
【００５９】
このルックアップテーブルでは、孔版原紙を取り替える際に一部のインクが剥取された孔版原紙に引っ付いて除去されることによって、印刷ドラム内の変質した古いインクが減少することを考慮して、孔版原紙の累積版数Ｘが大きくなるほど第２の基準値が小さくなるように設定している。
【００６０】
モード設定手段６８は、休止時間計測手段６６により計測された休止時間を取得し、その休止時間が所定の閾値（たとえば、１２時間）以上である場合に印圧制御モードを設定する。その設定の前に通常印圧モードが設定されていた場合には、印圧制御モードに切り替えて設定し、印圧制御モードが設定されていた場合には、印圧制御モードを新たに設定し、印圧制御モードの設定時点を更新する。なお、上記所定の閾値は、使用するインクの粘度変化特性に基づいて設定されたものであってもよい。
【００６１】
また、モード設定手段６８は、印圧制御モードにおいて、総累積枚数計測手段により計測された総累積枚数が、第２の基準値設定手段７４により設定された第２の基準値よりも大きくなった場合に、印圧制御モードを解除し、通常印圧モードに切り替える。このように、モード設定手段６８は、本発明のモード設定手段およびモード解除手段として機能する。
【００６２】
印刷圧力制御手段６７は、モード設定手段６８により通常印圧モードが設定されているときには、印刷圧力が予め定められた通常の印刷圧力となるように印刷圧力調整用電動機１２４の動作を制御する。一方、印圧制御モードが設定されているときには、印刷枚数計測手段により計測された印刷用紙の枚数と第１の基準値設定手段により設定された第１の基準値を比較し、印刷用紙の枚数が第１の基準値よりも小さい場合は、印刷圧力が通常の印刷圧力よりも小さい（又は大きい）所定の印刷圧力となるように印刷圧力調整用電動機１２４の動作を制御し、印刷用紙の枚数が第１の基準値よりも大きい場合は、印刷圧力が通常の印刷圧力となるように印刷圧力調整用電動機１２４の動作を制御する。
【００６３】
ここで、使用するインクが揮発によって粘度低下するものである場合には、印刷圧力が通常の印刷圧力よりも小さい所定の印刷圧力となるように印刷圧力調整用電動機１２４の動作を制御し、使用するインクが揮発によって粘度上昇するものである場合には、印刷圧力が通常の印刷圧力よりも大きい所定の印刷圧力となるように印刷圧力調整用電動機１２４の動作を制御する。
【００６４】
以下、印圧制御モードおける印圧制御の具体例について説明する。ここでは、便宜のため、使用するインクが揮発によって粘度低下するものである場合について説明する。たとえば、休止明けに、印刷ドラムに巻付けられている孔版原紙をそのまま使用して印刷を行う場合（累積版数Ｘ＝０、累積枚数Ｎ＝０）、第１の基準値は１００となるので（図５参照）、その孔版原紙によって印刷を行う限り、印刷枚数が１００枚に達するまでは通常の印刷圧力よりも小さい所定の印刷圧力と（以下、特定の印刷圧力という）で印刷が行われるようにし、１００枚以降の印刷は通常の印刷圧力で行われるようにする。たとえば、１４０枚印刷を行う場合、１００枚以降の４０枚は通常の印刷圧力に戻して印刷を行う。その後、印刷ドラムから既存の孔版原紙をはずし、新しい孔版原紙を取り付けて、引き続き印刷を行う場合には（（累積版数Ｘ＝１、累積枚数Ｎ＝１４０）、第１の基準値は６０となるので（図５参照）、再び特定の印刷圧力で印刷を開始して、その新しい孔版原紙によって印刷を行う限り、その孔版原紙を使用して印刷された印刷枚数が６０枚に達するまでは引き続き特定の印刷圧力で印刷が行われるようにし、６０枚以降の印刷は通常の印刷圧力で印刷が行われるようにする。
【００６５】
また、たとえば、休止明けに、印刷ドラムに巻付けられている孔版原紙をそのまま使用した印刷を６０枚で終了した後、印刷ドラムから既存の孔版原紙をはずし、新しい孔版原紙を取り付けて、引き続き印刷を行う場合には（累積版数Ｘ＝１、累積枚数Ｎ＝６０）、第１の基準値は８０となるので（図５参照）、その新しい孔版原紙によって印刷を行う限り、その孔版原紙を使用して印刷された印刷枚数が８０枚に達するまでは特定の印刷圧力で印刷が行われるようにし、８０枚以降の印刷は通常の印刷圧力で行われるようにする。ここで、８０枚以上の印刷を行われる場合には、休止明けから、合計１４０枚の印刷が、連続して、特定の印刷圧力で行われることとなる。
【００６６】
また、たとえば、休止明けに、印刷ドラムから既存の孔版原紙をはずし、新しい孔版原紙を取り付けて、最初の印刷を開始する場合には（累積版数Ｘ＝１、累積枚数Ｎ＝０）、第１の基準値は８０となるので（図５参照）、その孔版原紙によって印刷を行う限り、その孔版原紙を使用して印刷された印刷枚数が８０枚に達するまでは特定の印刷圧力で印刷が行われるようにし、８０枚以降の印刷は通常の印刷圧力で行われるようにする。
【００６７】
上記印圧制御モードおける印圧制御は、印圧制御モードの解除とともに終了する。総累積枚数計測手段により計測された総累積枚数が、第２の基準値設定手段７４により設定された第２の基準値よりも大きくなって、モード設定手段６８が印圧制御モードを解除し、通常印圧モードに切り替えた場合には、印刷圧力制御手段６７は、通常印圧モードにおける印圧制御として、それ以降の印刷が通常の印刷圧力で行なわれるようにする。
【００６８】
たとえば、休止明けに、印刷ドラムから既存の孔版原紙をはずし、新しい孔版原紙を取り付けて印刷を２９０枚行ない、引き続き、新しい孔版原紙を取り付けて印刷を１００枚行なう場合（累積版数＝２、累積枚数Ｎ＝２９０）、第１の基準値は２０となり（図５参照）、第２の基準値は３００（図４参照）となる。この時、１０枚印刷した時点で第２の基準値に達するため、特定の印刷圧力での印刷は１０枚まで行なわれるようにし、１０枚以降の印刷は通常の印刷圧力で行なわれるようにする。
【００６９】
上記構成により、孔版印刷装置１によれば、休止時間計測手段６６が、印刷が終了してから再び印刷が開始されるまでの休止時間を計測し、モード設定手段６８が、休止時間が所定の閾値以上である場合に印圧制御モードを設定し、第１の基準値設定手段７３が、印圧制御モードにおいて、再び印刷が開始されてからの、現在までに印刷ドラムから剥取された孔版原紙の累積版数Ｘおよび現在の孔版原紙による印刷が開始されるまでに印刷された印刷用紙の累積枚数Ｎに基づいて基準値を設定し、印刷枚数計測手段７１が、現在の孔版原紙を使用して印刷された印刷用紙の枚数を計測し、印刷圧力制御手段６７が、計測された印刷用紙の枚数が設定された基準値よりも小さい場合は、印刷圧力が通常の印刷圧力よりも小さく又は大きくなるように印刷圧力調整用電動機１２４を制御し、計測された印刷用紙の枚数が設定された基準値よりも大きい場合は、印刷圧力が通常の印刷圧力となるように印刷圧力調整用電動機１２４を制御するようにしたので、各孔版原紙による印刷において印刷圧力を小さく又は大きく制御すべき印刷枚数を、孔版原紙の取り替えによるインクの消費状態の変化を考慮して設定でき、休止明けに、複数の孔版原紙を順次使用して印刷を行う場合においても、安定した印刷濃度の孔版印刷を行うことができる。
【符号の説明】
【００７０】
１    孔版印刷装置
１０    読取部
２０    製版部
３０    印刷部
３１    印刷ドラム
３６    プレスローラ
４０    給紙部
５０    排紙部
６０    排版部
６５    インク種類取得手段
６６    休止時間計測手段
６７    印刷圧力制御手段
６８    モード設定手段
６９    累積版数計測手段
７０    累積枚数計測手段
７１    印刷枚数計測手段
７２    総累積枚数計測手段
７３    第１の基準値設定手段
７４    第２の基準値設定手段
１２４    印刷圧力調整用電動機
【図１】
2012121206.tif 000003
【図２】
2012121206.tif 000004
【図３】
2012121206.tif 000005
【図４】
2012121206.tif 000006
【図５】
2012121206.tif 000007